(57)【特許請求の範囲】
【請求項１】
媒体を切断する切断刃と、
前記切断刃を保持し、走査方向に往復移動可能な筐体部と、を備え、
前記筐体部は、前記走査方向において一方から他方に向けて移動するときに通過する前記媒体が前記切断刃と接触する第１通路と、前記走査方向において他方から一方に向けて移動するときに通過する前記媒体が前記切断刃と接触しない第２通路と、を有し、
前記第２通路は、切断された前記媒体のうち下流側の媒体が通過する通路であり、
前記下流側の媒体が、前記筐体部が備える面に接触して通過する通路が前記第２通路である、ことを特徴とする切断装置。
【請求項２】
請求項１に記載の切断装置であって、
前記媒体が前記第１通路を通過するか、前記媒体が前記第２通路を通過するか、を切り替える案内部を備えることを特徴とする切断装置。
【請求項３】
請求項２に記載の切断装置であって、
前記案内部は、前記筐体部が前記走査方向において一方から他方に向けて移動するときに前記媒体が前記第１通路を通過することを許容する第一位置と、前記筐体部が他方から一方に向けて移動するときに前記媒体を前記第２通路へ案内する第二位置と、に変位可能であることを特徴とする切断装置。
【請求項４】
請求項３に記載の切断装置であって、
前記案内部は、前記筐体部が前記走査方向において一方から他方に向けて移動するときに前記第１通路を通る前記媒体が接触することによって、前記第二位置から前記第一位置に変位することを特徴とする切断装置。
【請求項５】
請求項３又は請求項４に記載の切断装置であって、
前記案内部は、前記第二位置に位置するときに前記第１通路を遮断することを特徴とする切断装置。
【請求項６】
請求項１乃至請求項５のうち何れか一項に記載の切断装置であって、
前記筐体部を上面視した場合に、前記第１通路と前記第２通路とは、少なくとも一部が重なる位置に設けられることを特徴とする切断装置。
【請求項７】
請求項１乃至請求項６のうち何れか一項に記載の切断装置と、
前記媒体に画像を印刷する印刷部と、を備えることを特徴とする印刷装置。
【請求項８】
媒体を切断する切断刃と、
前記切断刃を保持し、走査方向に往復移動可能な筐体部と、を備え、
前記筐体部は、前記走査方向において一方から他方に向けて移動するときに通過する前記媒体が前記切断刃と接触する第１通路と、前記走査方向において他方から一方に向けて移動するときに通過する前記媒体が前記切断刃と接触しない第２通路と、を有し、
前記第２通路は、切断された前記媒体のうち下流側の媒体が通過する通路である切断装置であって、
前記切断装置は、前記媒体が前記第１通路を通過するか、前記媒体が前記第２通路を通過するか、を切り替える案内部を備え、
前記案内部は、
前記筐体部が前記走査方向において一方から他方に向けて移動するときに前記媒体が前記第１通路を通過することを許容する第一位置と、前記筐体部が他方から一方に向けて移動するときに前記媒体を前記第２通路へ案内する第二位置と、に変位可能であり、
前記筐体部が前記走査方向において一方から他方に向けて移動するときに前記第１通路を通る前記媒体が接触することによって、前記第二位置から前記第一位置に変位することを特徴とする切断装置。
【発明の詳細な説明】
【技術分野】
【０００１】
本発明は、媒体を切断する切断装置及びこの切断装置を備える印刷装置に関する。
【背景技術】
【０００２】
従来から、搬送される媒体に対して印刷を行うプリンターが知られている。こうしたプリンターの中には、印刷が行われた媒体を所望の大きさに切断するカッター装置（切断装置）を備えたものがある。たとえば、特許文献１に記載のプリンターは、媒体を切断するロータリー刃を保持するカッターホルダ（筐体部）が、媒体の搬送方向と交差する走査方向に往復移動することで、媒体を切断するカッター装置を備えている。
【先行技術文献】
【特許文献】
【０００３】
【特許文献１】特開２０１１−４６１０１号公報
【発明の概要】
【発明が解決しようとする課題】
【０００４】
このようなカッター装置においては、カッターホルダが往復移動するにあたって、往路で切断された媒体が、復路で再び切断（二度切り）されてしまう虞がある。そこで、特許文献１に記載のプリンターが備えるカッター装置の場合、カッターホルダが往復移動する際に、その往路で切断された媒体を、その復路で媒体の搬送方向の下流側に向けて押し出すことで、媒体が二度切りされてしまう虞を低減している。しかし、このような構成においては、すでに切断された媒体を媒体の搬送方向の下流側に向けて押し出すために、媒体に負荷がかかり、媒体が折れたり曲がったりする虞があった。
【０００５】
本発明は、上記実情に鑑みてなされたものであり、その目的は、媒体に対する負荷を低減しつつ媒体の二度切りを抑制できる切断装置及びこの切断装置を備える印刷装置を提供することにある。
【課題を解決するための手段】
【０００６】
以下、上記課題を解決するための手段及びその作用効果について記載する。
上記課題を解決する切断装置は、媒体を切断する切断刃と、前記切断刃を保持する筐体部と、を備え、前記筐体部は、通過する前記媒体が前記切断刃と接触する第１通路と、通過する前記媒体が前記切断刃と接触しない第２通路と、を有する。
【０００７】
この構成によれば、媒体が刃と接触しない第２通路を筐体部に設けることで、媒体を切断することなく、媒体及び切断装置のうち一方に他方を横切らせることができる。したがって、媒体に対する負荷を低減しつつ媒体の二度切りを抑制できる。
【０００８】
上記切断装置においては、前記媒体が前記第１通路を通過するか、前記媒体が前記第２通路を通過するか、を切り替える案内部を備えることが好ましい。
この構成によれば、媒体が通過する通路を案内部によって切り替えることができる。
【０００９】
上記切断装置において、前記筐体部は、走査方向に往復移動可能であり、前記案内部は、前記筐体部が前記走査方向において一方から他方に向けて移動するときに前記媒体が前記第１通路を通過することを許容する第一位置と、前記筐体部が他方から一方に向けて移動するときに前記媒体を前記第２通路へ案内する第二位置と、に変位可能であることが好ましい。
【００１０】
この構成によれば、筐体部が走査方向に往復移動する際の移動の向きに応じて、案内部を第一位置と第二位置との間で変位させることにより、媒体を通過させる通路を切り換えることができる。すなわち、第一位置と第二位置との間を変位可能な案内部という簡単な構成によって、媒体を筐体部の往路移動時と復路移動時とで異なる通路を通過するように案内することができる。
【００１１】
上記切断装置において、前記案内部は、前記筐体部が前記走査方向において一方から他方に向けて移動するときに前記第１通路を通る前記媒体が接触することによって、前記第二位置から前記第一位置に変位することが好ましい。
【００１２】
この構成によれば、たとえばモーター、アクチュエーターなどの動力源を設けることなく案内部の位置を変位させることができる。
上記切断装置において、前記案内部は、前記第二位置に位置するときに前記第１通路を遮断することが好ましい。
【００１３】
この構成によれば、媒体が誤って第１通路を通過してしまう虞が低減される。すなわち、媒体の二度切りを抑制できる。
上記切断装置において、前記筐体部を上面視した場合に、前記第１通路と前記第２通路とは、少なくとも一部が重なる位置に設けられることが好ましい。
【００１４】
この構成によれば、前記筐体部を上面視した場合に、第１通路と第２通路とが占有する面積が狭くなる。このため、切断装置のコンパクト化に貢献することができる。
上記課題を解決する印刷装置は、上記構成の切断装置と、前記媒体に画像を印刷する印刷部と、を備える。
【００１５】
この構成によれば、媒体が刃と接触しない第２通路を筐体部に設けることで、媒体を切断することなく、媒体及び切断装置のうち一方に他方を横切らせることができる。したがって、媒体に対する負荷を低減しつつ媒体の二度切りを抑制できる。
【００１６】
上記課題を解決する切断方法は、媒体を切断する切断刃と、通過する前記媒体が前記切断刃と接触する第１通路と、通過する前記媒体が前記切断刃と接触しない第２通路と、を備えた切断装置による切断方法であって、前記第１通路に前記媒体を通過させる際に前記媒体を切断し、前記第２通路に前記媒体を通過させる際に前記媒体を切断しない。
【００１７】
この構成によれば、媒体が刃と接触しない第２通路を筐体部に設けることで、媒体を切断することなく、媒体及び切断装置のうち一方に他方を横切らせることができる。したがって、媒体に対する負荷を低減しつつ媒体の二度切りを抑制できる。
【図面の簡単な説明】
【００１８】
【図１】切断装置を備えたプリンターの一実施形態の斜視図。
【図２】プリンターの内部構造を模式的に示す側断面図。
【図３】切断機構の斜視図。
【図４】切断装置の正面図。
【図５】案内部が第二位置に位置するときの切断装置の斜視図。
【図６】案内部が第一位置に位置するときの切断装置の斜視図。
【図７】切断装置が反待機位置に向けて移動するときの図。
【図８】切断装置が反待機位置に位置するときの図。
【図９】切断装置が待機位置に向けて移動するときの図。
【図１０】図９における状態を上面視したときの図。
【発明を実施するための形態】
【００１９】
以下、切断装置を備えた印刷装置の一種であるインクジェット式プリンター（以下、「プリンター」と略す場合もある。）の一実施形態について図を参照して説明する。
図１に示すように、プリンター（印刷装置）１１は、脚台１２に支持される直方体状の筐体１３と、筐体１３の背面に取り付けられ、筐体１３の背面から上方に向かって突出する給送部２０とを備えている。給送部２０には、媒体の一例である用紙Ｐが円筒状に巻き重ねられたロール紙Ｒが装填されている。そして、給送部２０は、装填されたロール紙Ｒを覆うように開閉可能に設けられた給送カバー２１を備えている。また、給送部２０には、ロール紙Ｒを回転可能に保持する保持ユニット２２が、給送部２０の長手方向（図１において左右方向）における両端に設けられている。
【００２０】
筐体１３の上部であって、筐体１３の背面側には、給送部２０に装填されたロール紙Ｒから繰り出される用紙Ｐを筐体１３内へ給送するための給送口１４が開口している。また、筐体１３の上部であって、筐体１３の背面側とは反対となる前面側には、筐体１３内をメンテナンスするためのメンテナンスカバー１５が開閉可能に設けられている。また、筐体１３の上部であって、筐体１３の長手方向の一端（図１においては右端）には、プリンター１１を操作するための操作部１６が設けられている。そして、筐体１３の前面には、給送口１４から筐体１３内に給送された用紙Ｐを筐体１３外へ排出するための排出口１７が開口している。さらに、筐体１３の前面であって、長手方向の一端（図１においては右端）には、たとえばインクなどの印刷剤である液体を収容する液体収容体が着脱可能に保持される液体収容体保持部１８が設けられている。
【００２１】
図２に示すように、筐体１３内には給送部２０から給送される用紙Ｐを搬送する搬送部３０と、用紙Ｐを鉛直方向Ｚの下側から支持する支持台４０と、支持台４０に支持される用紙Ｐに文字や写真等の画像を印刷する印刷部５０と、印刷された用紙Ｐを切断する切断機構６０とが備えられている。搬送部３０は、用紙Ｐを表裏両面から挟んで支持する複数の搬送ローラー３１、３２、３３、３４を含んで構成されている。そして、給送部２０から繰り出される用紙Ｐは、搬送ローラー３１〜３４の回転駆動により搬送方向Ｙに沿って搬送される。
【００２２】
鉛直方向Ｚにおいて、支持台４０の上方に設けられる印刷部５０は、図２において紙面と直交する方向となる走査方向Ｘに沿って往復移動可能な印刷用キャリッジ５１と、印刷用キャリッジ５１に搭載され、搬送部３０に搬送される用紙Ｐに対してインクを吐出することで印刷を行うヘッド５２とを備えている。すなわち、印刷部５０は、搬送方向Ｙと交差する走査方向Ｘに移動することで、走査方向Ｘにおける用紙Ｐの略全域に印刷を行う。なお、本実施形態において、走査方向Ｘは、筐体１３、給送部２０の長手方向と一致し、鉛直方向Ｚは、走査方向Ｘ及び搬送方向Ｙの双方と交差する。
【００２３】
印刷部５０によって印刷が行われた用紙Ｐは、搬送方向Ｙにおいて印刷部５０よりも下流側に設けられた切断機構６０により切断され、切断された用紙Ｐは単票紙となって排出口１７から筐体１３外へ排出される。
【００２４】
次に、切断機構６０について説明する。
図３に示すように、切断機構６０は、走査方向Ｘに沿って延びるように設けられるガイドレール６１と、ガイドレール６１に沿って移動することで用紙Ｐを切断する切断装置７０とを備えている。切断装置７０は、ガイドレール６１に沿って往復移動可能に取り付けられた筐体部７１と、筐体部７１に保持され、用紙Ｐを切断する切断刃７２とを有している。言い換えれば、切断装置７０は、媒体を切断する切断刃７２を備えている。また、切断装置７０は、切断刃７２を保持する筐体部７１を備えている。筐体部７１は、走査方向Ｘに往復移動可能である。
【００２５】
切断刃７２は、筐体部７１の移動にともなって駆動回転される駆動刃７２ａと、駆動刃７２ａの回転に従動回転される従動刃７２ｂとが、鉛直方向Ｚに並んで設けられることで構成されている。すなわち、切断装置７０は、走査方向Ｘに往復移動可能に設けられている。
【００２６】
ガイドレール６１は、走査方向Ｘにおいて給送部２０が装填可能なロール紙Ｒよりも長尺に設けられ、切断装置７０は、そのガイドレール６１において搬送方向Ｙの下流側を向く面に取り付けられている。そして、ガイドレール６１内には、切断装置７０を走査方向Ｘに往復移動させるための伝達機構６２が設けられている。
【００２７】
伝達機構６２は、走査方向Ｘにおいてガイドレール６１の両端に設けられたプーリー６３、６４と、プーリー６３、６４に巻き掛けられた環状のベルト６５とを備えている。また、図３において、ガイドレール６１の左端に設けられているプーリー６３と同軸上には、プーリー６３と一体回転可能に設けられる歯車６３ａが取り付けられている。そして、ベルト６５には、切断装置７０が有する筐体部７１が図示しない連結部材を介して連結されている。
【００２８】
走査方向Ｘにおいてガイドレール６１の一端（図３において左端）には、電動モーター６６が設けられている。この電動モーター６６の出力軸にはピニオン６７が取り付けられていて、電動モーター６６は、このピニオン６７がプーリー６３と同軸上に設けられた歯車６３ａと噛み合うようにガイドレール６１に取り付けられている。すなわち、電動モーター６６の駆動によってピニオン６７が回転され、ピニオン６７の回転により歯車６３ａを介してプーリー６３が回転される。そして、プーリー６３が回転することにより、ベルト６５を介してプーリー６４が回転され、ベルト６５の駆動にともない切断装置７０がガイドレール６１に沿って移動される。すなわち、伝達機構６２は、電動モーター６６の駆動を筐体部７１に伝達する。
【００２９】
ここで、図３に示すように、本実施形態においては、ガイドレール６１の右端側が、筐体部７１の待機位置とされている。電動モーター６６が正転駆動することで、筐体部７１は、ガイドレール６１の左端側、すなわち待機位置とは反対側となる反待機位置に向けて移動される。そして、電動モーター６６が逆転駆動することで、筐体部７１は、ガイドレール６１の右端側、すなわち待機位置に向けて移動される。
【００３０】
また、筐体部７１が反待機位置に向けて移動する際、切断刃７２を構成する駆動刃７２ａは、ベルト６５の駆動によって、図３において時計回り方向に回転されるよう構成されている。すなわち、従動刃７２ｂは、反時計回り方向に回転される。一方、筐体部７１が待機位置に向けて移動する際、駆動刃７２ａと従動刃７２ｂは、その逆向きに回転される。
【００３１】
次に切断装置７０の構成について説明する。
図４、図５及び図６に示すように、切断刃７２を保持する筐体部７１は、駆動刃７２ａを保持する下側部７３と、従動刃７２ｂを保持する上側部７４と、下側部７３と上側部７４を連結する連結部７５とを含んで構成されている。図５及び図６に示すように、連結部７５は、下側部７３と上側部７４とを、筐体部７１において搬送方向Ｙの上流側寄りとなる部分で連結している。
【００３２】
図４、図５及び図６に示すように、鉛直方向Ｚにおいて、下側部７３と上側部７４との間には、切断装置７０が用紙Ｐを切断する際に用紙Ｐが通過する第１通路７６が設けられている。第１通路７６には、その途中に切断刃７２が露出するように設けられ、第１通路７６を通過する用紙Ｐは、切断刃７２と接触することで切断される。つまり、筐体部７１は、通過する媒体が切断刃７２と接触する第１通路７６を有している。そして、筐体部７１における走査方向Ｘにおいて切断刃７２よりも左側となる第１通路７６の導入口７６ａは、用紙Ｐが外側である左側から第１通路７６へ導入され易いように、左側に向かうにつれて鉛直方向Ｚにおける上下の開きが大きくなるよう形成されている。
【００３３】
また、筐体部７１は、通過する媒体が切断刃７２と接触しない第２通路８４を有している。媒体が刃と接触しない第２通路８４を筐体部７１に設けることで、媒体を切断することなく、媒体及び切断装置７０のうち一方に他方を横切らせることができる。したがって、媒体に対する負荷を低減しつつ媒体の二度切りを抑制できる。本実施形態では、切断装置７０が走査方向Ｘに移動することで媒体を切断する構成であるが、他の構成で媒体を切断してもよい。例えば、切断装置７０が固定された状態で、媒体を走査方向Ｘに移動させて媒体を切断してもよいし、切断装置７０と媒体とが衝突するような向きに双方が動いて媒体を切断してもよい。つまり、切断装置７０と媒体とが相対的に移動して媒体を切断する構成であればよい。なお、第２通路８４の詳細については後述する。
【００３４】
また、筐体部７１における走査方向Ｘにおいて切断刃７２よりも右側となる下側部７３の上部には、右側に向かうにつれて鉛直方向Ｚの上側に傾斜するように延びる第一傾斜面７７が形成されている。この第一傾斜面７７の途中から左下側の部分は、第１通路７６の一部を構成している。そして、第一傾斜面７７の途中であって、導入口７６ａとは反対側となる第１通路７６の終端には、第１通路７６を通過することで切断刃７２により切断された用紙Ｐが第１通路７６から右側（外側）へ導出される導出口７６ｂが形成されている。
【００３５】
そして、筐体部７１の第一傾斜面７７における第１通路７６の終端よりも右側（外側）の途中には、鉛直方向Ｚの下側に凹んだ凹部７８が形成され、凹部７８の中には第一傾斜面７７に沿って延びるリブ７９が形成されている。すなわち、凹部７８及びリブ７９は、筐体部７１を構成する下側部７３の上部に形成されている。
【００３６】
また、筐体部７１における鉛直方向Ｚにおいて第１通路７６を挟んで下側部７３の上方に位置する上側部７４は、走査方向Ｘに沿って延びる上面８０と、走査方向Ｘにおいて上面８０よりも右側に設けられ、右側に向かうにつれて鉛直方向Ｚの下側に傾斜するよう延びる第二傾斜面８１とを有している。この上面８０及び第二傾斜面８１は、上側部７４の上部に設けられ、第二傾斜面８１は、第一傾斜面７７に向かうように傾斜している。すなわち、上側部７４が備える上面８０及び第二傾斜面８１は、鉛直方向Ｚにおいて第１通路７６の上方に設けられている。換言すると、鉛直方向Ｚにおいて上面視したとき、上側部７４の上面８０及び第二傾斜面８１は、第１通路７６と重なる位置に設けられている。
【００３７】
さらに、筐体部７１を構成する上側部７４は、第二傾斜面８１から第一傾斜面７７に向かって延びる板状の案内部８２を有している。案内部８２は、媒体が第１通路７６を通過するか、媒体が第２通路８４を通過するか、を切り替える役割を担っている。つまり、切断装置７０は、媒体が第１通路７６を通過するか、媒体が第２通路８４を通過するか、を切り替える案内部８２を備えている。このため、媒体が通過する通路を案内部８２によって切り替えることができる。この案内部８２は、走査方向Ｘにおいて上側部７４の右端、すなわち第二傾斜面８１の右端に軸８２ａを有している。案内部８２は、この軸８２ａを中心に回動可能であって、第１通路７６の導出口７６ｂを開放する第一位置（図４において２点鎖線で示す位置）と、導出口７６ｂを塞ぐ第二位置（図４において実線で示す位置）との間で変位可能に設けられている。つまり、案内部８２は、筐体部７１が走査方向Ｘにおいて一方から他方に向けて移動するときに媒体が第１通路７６を通過することを許容する第一位置と、筐体部７１が他方から一方に向けて移動するときに媒体を第２通路８４へ案内する第二位置と、に変位可能である。筐体部７１が走査方向Ｘに往復移動する際の移動の向きに応じて、案内部８２を第一位置と第二位置との間で変位させることにより、媒体を通過させる通路を切り換えることができる。すなわち、第一位置と第二位置との間を変位可能な案内部８２という簡単な構成によって、媒体を筐体部７１の往路移動時と復路移動時とで異なる通路を通過するように案内することができる。
【００３８】
案内部８２は、筐体部７１が走査方向Ｘにおいて一方から他方に向けて移動するときに第１通路７６を通る媒体が接触することによって、第二位置から第一位置に変位する。これにより、たとえばモーター、アクチュエーターなどの動力源を設けることなく案内部８２の位置を変位させることができる。
【００３９】
また、案内部８２は、第二位置に位置するときに第１通路７６を遮断する。これにより、媒体が誤って第１通路７６を通過してしまう虞が低減される。すなわち、媒体の二度切りを抑制できる。
【００４０】
ここで、図５及び図６に示すように、案内部８２の軸８２ａ側を基端としたとき、基端とは反対側となる案内部８２の先端には、切欠８３が形成されている。図５に示すように、第二位置に位置する案内部８２は、その先端が走査方向Ｘにおける凹部７８の左側の内側面７８ａと接触し、切欠８３がリブ７９と係合する。そのため、第二位置に位置する案内部８２は、軸８２ａを中心に反時計回り方向には回動可能である一方、凹部７８の左側の内側面７８ａがストッパーとなって時計回り方向には回動できないように設けられている。また、案内部８２は、その姿勢を第二位置で安定させるために、重力の作用によって軸８２ａを中心に時計回り方向にモーメントが働くよう構成されている。
【００４１】
次に上記のように構成されたプリンター（印刷装置）１１の作用について、特に切断装置７０を用いた用紙Ｐの切断方法に着目して説明する。なお、図７、図９及び図１０に示す白抜き矢印は、筐体部７１が移動する方向を示している。
【００４２】
図７に示すように、切断装置７０が用紙Ｐを切断するために、筐体部７１が走査方向Ｘにおいて右側（一方）から左側（他方）に向けて移動、すなわち反待機位置に向けて移動する際には、用紙Ｐが鉛直方向Ｚに開口した導入口７６ａを介して第１通路７６に用紙Ｐの右端部（走査方向Ｘにおける一方側の端部）を先頭にして導入される。第１通路７６に導入された用紙Ｐは、筐体部７１の移動にともなって回転する切断刃７２によって切断され、ロール紙Ｒと連続する上流側用紙Ｐ１と、切断されることで単票紙となって搬送方向Ｙの下流側へ排出される下流側用紙Ｐ２とに分離される。
【００４３】
そして、筐体部７１が走査方向Ｘにおいて左側の反待機位置に向けて移動するにつれて、下流側用紙Ｐ２は、走査方向Ｘにおけるその右端部が第一傾斜面７７に沿って第１通路７６の導出口７６ｂへ向かう。このとき、案内部８２は、重力の作用によってその姿勢が第二位置で安定しているため、その先端が凹部７８の左側の内側面７８ａに接触して導出口７６ｂを塞いでいるが、その案内部８２を、下流側用紙Ｐ２の右端部が筐体部７１の移動にともなって左側下方から右側上方へ押圧するように接触する。
【００４４】
すると、案内部８２が、軸８２ａを中心として時計回り方向に回動し、第二位置から第一位置へと変位するため、第１通路７６の導出口７６ｂが開放される。すなわち、案内部８２は、用紙Ｐ（具体的には下流側用紙Ｐ２）が第１通路７６を通過することを許容する第一位置に第二位置から変位する。すると、開放された導出口７６ｂから下流側用紙Ｐ２が第１通路７６の外側に導出され、第１通路７６を通過した下流側用紙Ｐ２は、筐体部７１の移動にともない第一傾斜面７７に沿って筐体部７１の下側部７３の上部を通過する。
【００４５】
図８に示すように、筐体部７１の反待機位置に向かう移動が終了すると、切断装置７０による用紙Ｐの切断が完了し、走査方向Ｘの全域に亘って用紙Ｐが上流側用紙Ｐ１と下流側用紙Ｐ２とに分離される。このとき、第１通路７６を通過した下流側用紙Ｐ２は、走査方向Ｘにおけるその左端部が第一傾斜面７７の右端部分に支持された状態となる。また、下流側用紙Ｐ２の左端部が導出口７６ｂから第１通路７６の外側に導出されると、案内部８２は、重力の作用によって第一位置から第二位置へと変位される。
【００４６】
図９に示すように、切断装置７０による用紙Ｐの切断が完了すると、次に、筐体部７１が走査方向Ｘにおいて左側（他方）から右側（一方）に向けて移動、すなわち待機位置に向けて移動する。このとき、下流側用紙Ｐ２は、走査方向Ｘにおけるその左端部が案内部８２と接触するが、案内部８２は、その先端が凹部７８の左側の内側面７８ａに係止しているため、第１通路７６の導出口７６ｂを開放するようには変位されない。そのため、下流側用紙Ｐ２は、第一傾斜面７７の右端部分から第１通路７６への進入が第二位置に位置する案内部８２により遮断される。
【００４７】
その一方で、下流側用紙Ｐ２は、案内部８２の表面に沿って筐体部７１を構成する上側部７４の第二傾斜面８１に向けて案内される。すなわち、下流側用紙Ｐ２は、筐体部７１が走査方向Ｘにおいて左側（他方）から右側（一方）に向けて移動するのにともない、第二位置に位置する案内部８２によって、上側部７４に形成された第二傾斜面８１及び上側部７４の上面８０へと案内される。
【００４８】
ここで、下流側用紙Ｐ２が案内部８２により上側部７４の第二傾斜面８１及び上面８０へと案内されるときに通過する通路には、第１通路７６と異なり切断刃７２が露出していない。そのため、この下流側用紙Ｐ２が上側部７４の第二傾斜面８１及び上面８０へと案内されるときに通過する通路は、切断刃７２を有しない第２通路８４として機能する。したがって、走査方向Ｘにおいて往復移動する筐体部７１がその往路を移動する際には、第１通路７６を通過することで用紙Ｐが切断される一方、復路を移動する際には、切断された用紙Ｐは第２通路８４を通過するため、用紙Ｐを二度切りしてしまう虞が低減される。
【００４９】
図１０は、切断装置７０を上面視したときの図である。図１０の切断装置７０は、図９と同様、切断装置７０が待機位置に向けて移動するときの状態を示している。図１０に示すように、筐体部７１が待機位置に向けて移動する際、切断されることで分離された下流側用紙Ｐ２は、筐体部７１が有する第２通路８４へ案内部８２により案内され、筐体部７１の上部を通る。換言すると、筐体部７１が有する第１通路７６と第２通路８４とは、搬送方向Ｙ及び走査方向Ｘの双方と交差する鉛直方向Ｚにおいて重なる位置に設けられている、といえる。別な言い方をすれば、筐体部７１を上面視した場合に、第１通路７６と第２通路８４とは、少なくとも一部が重なる位置に設けられている。したがって、筐体部７１を上面視した場合に、第１通路７６と第２通路８４とが占有する面積が狭くなる。このため、切断装置７０のコンパクト化に貢献することができる。なお、ここでの「上面視」とは、切断装置７０を図１０のようなアングル（切断対象の媒体の表面を見下ろす方向）から見た場合を意味する。
【００５０】
第１通路７６と第２通路８４とが、搬送方向Ｙ及び走査方向Ｘの双方と交差する鉛直方向Ｚにおいて重なる位置に設けられていると、鉛直方向Ｚにおいて上面視したときにおける筐体部７１の移動領域Ａよりも搬送方向Ｙの下流側へ向けて下流側用紙Ｐ２が押し出されてしまう虞が小さい。つまり、走査方向Ｘにおいて往復移動する筐体部７１がその復路を移動する際に、その往路にてすでに切断された下流側用紙Ｐ２を筐体部７１の移動領域Ａの外へ向けて押し出す構成と比較して、下流側用紙Ｐ２にかかる負荷が低減される。特に、下流側用紙Ｐ２を搬送方向Ｙの下流側へ向けて押し出す構成と比較して、本実施形態における切断装置７０は、下流側用紙Ｐ２が筐体部７１の移動領域Ａ内に収められるため、下流側用紙Ｐ２にかかる負荷が低減される。
【００５１】
なお、上述したように、本実施形態に係る印刷装置は、切断装置７０と、媒体に画像を印刷する印刷部と、を備える。このような印刷装置であれば、媒体に対する負荷を低減しつつ媒体の二度切りを抑制できる。
【００５２】
また、本実施形態に係る媒体の切断方法は、媒体を切断する切断刃７２と、通過する媒体が切断刃７２と接触する第１通路７６と、通過する媒体が切断刃７２と接触しない第２通路８４と、を備えた切断装置７０による切断方法であって、第１通路７６に媒体を通過させる際に媒体を切断し、第２通路８４に媒体を通過させる際に媒体を切断しないことを特徴とする切断方法である。このような切断方法であれば、媒体が刃と接触しない第２通路８４が設けられた筐体部７１を用いることで、媒体を切断することなく、媒体及び切断装置７０のうち一方に他方を横切らせることができる。したがって、媒体に対する負荷を低減しつつ媒体の二度切りを抑制できる。
【００５３】
上記実施形態によれば、以下のような効果を得ることができる。
（１）用紙Ｐが搬送される搬送方向Ｙと交差する走査方向Ｘに筐体部７１が往復移動する際、筐体部７１に設けられた第１通路７６を通過させることにより切断した用紙Ｐを、筐体部７１に設けられた第２通路８４を通過させる。そのため、用紙Ｐを筐体部７１の移動領域Ａ外となる搬送方向Ｙの下流側へ押し出すことなく用紙Ｐの二度切りを抑制できる。したがって、用紙Ｐに対する負荷を低減しつつ用紙Ｐの二度切りを抑制できる。
【００５４】
（２）切断刃７２を有する第１通路７６を通過することで切断された用紙Ｐは、筐体部７１を構成する上側部７４に設けられた案内部８２により切断刃７２を有しない第２通路８４に案内される際に搬送方向Ｙの下流側に向けて押し出されることもないため、用紙Ｐに対する負荷を低減しつつ用紙Ｐの二度切りを抑制できる。
【００５５】
（３）走査方向Ｘにおいて筐体部７１が往復移動する際の移動の向きに応じて、案内部８２を、用紙Ｐが第１通路７６を通過することを許容する第一位置と、用紙Ｐを第２通路８４へ案内する第二位置との間で変位させることにより、用紙Ｐを通過させる通路を切り換えることができる。すなわち、第一位置と第二位置との間を変位可能な案内部８２という簡単な構成によって、用紙Ｐを筐体部７１の往路移動時と復路移動時とで異なる通路を通過するように案内することができる。
【００５６】
（４）案内部８２は、筐体部７１が走査方向Ｘにおいて待機位置から反待機位置に向けて移動するときに第１通路７６を通る用紙Ｐが接触することによって第二位置から第一位置に位置が変位される。そして、第１通路７６における用紙Ｐの通過が完了すると、案内部８２は、重力の作用によって第一位置から第二位置に位置が変位される。すなわち、たとえばモーター、アクチュエーターなどの動力源を有することなく案内部８２の位置を変位させることができ、省エネルギー化に貢献できる。また、簡易な構成で用紙Ｐを第２通路８４に案内することができる。
【００５７】
（５）第二位置に位置する案内部８２は、第１通路７６の導出口７６ｂを塞いでいる。そのため、筐体部７１が走査方向Ｘにおいて反待機位置から待機位置に向けて移動する際、用紙Ｐの第１通路７６への進入が遮断される。すなわち、第１通路７６を通過することにより切断された用紙Ｐが、再び第１通路７６を通過してしまう虞が低減されるため、用紙Ｐの二度切りを抑制できる。
【００５８】
（６）用紙Ｐが搬送される搬送方向Ｙにおいて第１通路７６と第２通路８４とが占有する面積をコンパクトにできるため、この点で、切断装置７０のコンパクト化に貢献することができる。
【００５９】
（７）第２通路８４を通過する下流側用紙Ｐ２は、搬送方向Ｙの上流側となる後端が、筐体部７１を構成する上側部７４の第二傾斜面８１及び上面８０により持ち上げられる。そのため、下流側用紙Ｐ２における排出口１７からの排出を促すことができる。
【００６０】
なお、上記実施形態は以下のように変更してもよい。
・上記実施形態において、第２通路８４は、鉛直方向Ｚにおける第１通路７６の上方に設けられる構成に限らず、第１通路７６の下方に設けられる構成であってもよい。
【００６１】
・上記実施形態において、案内部８２は、回動することで第一位置と第二位置とに位置が変位される構成に限らず、たとえば、第二傾斜面８１に沿ってスライドすることで第一位置と第二位置とに位置が変位される開閉扉であってもよい。
【００６２】
・上記実施形態において、案内部８２は、モーターやアクチュエーターなどの動力源によって第一位置と第二位置とに位置が変位される構成であってもよい。
・上記実施形態において、案内部８２の先端に、回転体を設ける構成でもよい。案内部８２の先端は、第１通路７６の導出口７６ｂから導出される用紙Ｐと接触するため、回転体を備えることで用紙Ｐに対する負荷をより低減できる。また、印刷部５０により印刷された画像が、案内部８２の先端と接触することにより汚損される虞を低減できる。回転体としては、ホイールの周縁に突出する歯を備える構成のスターホイールを用いることができる。スターホイールを回転体として用いれば、回転体と用紙Ｐとが接触した際、摩擦抵抗が小さくなる。ただし、歯を備えないローラーを回転体として用いてもよい。歯を備えないローラーを回転体として用いれば、回転体と用紙Ｐとが接触した際、用紙Ｐが傷付きにくくなる。
【００６３】
・上記実施形態において、案内部８２は、第一位置と第二位置とに位置が変位可能に設けられる構成に限らない。たとえば、筐体部７１が復路を移動する際に、鉛直方向Ｚの下側からエアーを噴射することで、切断された用紙Ｐを第二傾斜面８１に案内する構成であってもよい。
【００６４】
・上記実施形態において、案内部８２は、筐体部７１を構成する上側部７４に設けられる構成に限らず、下側部７３に設けられる構成であってもよい。
・上記実施形態において、第一傾斜面７７に形成される凹部７８及びリブ７９は、設けずともよい。
【００６５】
・上記実施形態において、切断装置７０が備える切断刃７２は、筐体部７１の移動にともなって回転される構成に限らない。別途設けられたモーター等の動力源により切断刃７２が回転駆動される構成であってもよい。
【００６６】
・上記実施形態において、切断装置７０は、筐体部７１が走査方向Ｘに往復移動する際、その往路で用紙Ｐを第２通路８４に通過させ、その復路で用紙Ｐを第１通路７６に通過させる構成であってもよい。
【００６７】
・上記実施形態において、切断装置７０が切断する媒体は、紙だけに限らず、布帛や金属箔、プラスチックなど、様々なシート状媒体を採用してもよい。
・上記実施形態において、プリンター１１が備える印刷部５０は、インクを用紙Ｐに吐出することにより印刷する構成に限らない。たとえば、トナーにより印刷を行う構成であってもよいし、その他様々な印刷剤を採用してもよい。
【００６８】
・上記実施形態において、プリンター１１が備える印刷部５０は、走査方向Ｘに往復移動することで用紙Ｐに印刷を行うシリアルヘッド式に限らない。たとえば、走査方向Ｘにおいて長尺に設けられたラインヘッド式の印刷部５０であってもよいし、ラテラル式であってもよい。
【００６９】
・上記実施形態において、用紙Ｐを搬送する搬送部３０は、ローラーに限らず、コンベヤベルトであってもよい。
【符号の説明】
【００７０】
１１…プリンター（印刷装置）、５０…印刷部、７０…切断装置、７１…筐体部、７２…切断刃、７２ａ…駆動刃、７２ｂ…従動刃、７３…下側部、７４…上側部、７５…連結部、７６…第１通路、７６ａ…導入口、７６ｂ…導出口、７７…第一傾斜面、７８…凹部、７８ａ…内側面、７９…リブ、８０…上面、８１…第二傾斜面、８２…案内部、８２ａ…軸、８４…第２通路、Ｐ…用紙（媒体）、Ｐ１…上流側用紙、Ｐ２…下流側用紙、Ｘ…走査方向、Ｙ…搬送方向、Ｚ…鉛直方向。
【図１】
0006661906.tif 000002
【図２】
0006661906.tif 000003
【図３】
0006661906.tif 000004
【図４】
0006661906.tif 000005
【図５】
0006661906.tif 000006
【図６】
0006661906.tif 000007
【図７】
0006661906.tif 000008
【図８】
0006661906.tif 000009
【図９】
0006661906.tif 000010
【図１０】
0006661906.tif 000011